(57)【要約】【課題】ネジ供給機３ａ〜３ｃと、該ネジ供給機３ａ〜３ｃとネジ締め作業位置との間を移動し、前記ネジ供給機３ａ〜３ｃから取得したネジを、前記ネジ締め作業位置において、部品にネジ締めするネジ締め装置４とを有するネジ締めシステム１０において、タクトタイムの短縮が可能で、しかもコストアップ及び設置スペースの増加を招くことなく、姿勢変更を伴う複数のネジ締めに対応できるようにする。【解決手段】部品を保持可能なロボット１を配置し、このロボット１で、保持した部品の前記ネジ締め作業位置への搬入と、姿勢の変更と、前記ネジ締め作業位置からの搬出とを行えるようにし、しかも前記部品を前記ロボット１で保持したまま前記ネジ締め装置４によるネジ締めが可能となるように構成する。【選択図】図１
2014200860.tif 000002
【特許請求の範囲】
【請求項１】
少なくとも１台のネジ供給機と、該ネジ供給機とネジ締め作業位置との間を移動し、前記ネジ供給機から取得したネジを、前記ネジ締め作業位置において部品にネジ締めするネジ締め装置とを有するネジ締めシステムにおいて、
前記部品を保持可能なロボットが配置されており、該ロボットは、保持した部品の前記ネジ締め作業位置への搬入と、姿勢の変更と、前記ネジ締め作業位置からの搬出とが可能で、しかも前記部品を前記ロボットで保持したまま前記ネジ締め装置によるネジ締めが可能であることを特徴とするネジ締めシステム。
【請求項２】
前記部品のネジ締め時に、前記ロボットの部品の保持部を押さえて支持する機構を備えたネジ締め補助機構部を有することを特徴とする請求項１記載のネジ締めシステム。
【請求項３】
前記ネジ締め補助機構部は、前記部品のネジ締め時に、前記ロボットに保持された部品を押さえて支持する機構を備えていることを特徴とする請求項２に記載のネジ締めシステム。
【請求項４】
前記ネジ供給機が複数台配置されていると共に、前記ネジ締め装置が平面上の一方向であるＸ方向に移動可能となっており、しかも前記ネジ締め装置が各ネジ供給機からネジを取得する各ネジ取得位置と前記ネジ締め作業位置とがＸ方向に一直線上に並んでいることを特徴とする請求項１乃至３のいずれか一項に記載のネジ締めシステム。
【請求項５】
前記ネジ供給機が、それぞれ異なる種類のネジを供給するものであることを特徴とする請求項１乃至４のいずれか一項に記載のネジ締めシステム。
【請求項６】
各ネジの頭部の径と形状が同一であることを特徴とする請求項５に記載のネジ締めシステム。
【発明の詳細な説明】
【技術分野】
【０００１】
本発明は、ロボットを用いた組立システムに利用されるネジ締めシステムに関する。
【背景技術】
【０００２】
製造業において製品の製造方式は、ライン生産方式やセル生産方式でも見られるように、ロボットや人手で部品を搬送し、人手で部品を組立てることが一般的である。近年、人手による組立作業をロボットにより実現する組立システムが求められてきており、特に、ロボットによりネジ締めや塗布作業を行うことができる組立システムが求められている。また、人手による組立作業をロボットに置き換えるにあたり、タクトタイムの短縮、設備コストの削減、設置スペースの縮小が期待されている。
【０００３】
従来、特許文献１に示すような人手とロボットを併用した組立システムが知られている。この組立システムにおいて、ロボットは、組付け、ネジ締め、塗布等の各工程を担当し、人手は各工程終了後の部品搬送を行っている。
【０００４】
この組立システムにおけるネジ締め工程は、ネジ供給機、ネジ締め装置及び作業台を備えたネジ締めシステムで行われる。ネジ締めは、まず作業台に、ネジ締め対象である部品を人手で設置することで行われる。部品を作業台に設置した後、ネジ締め装置がネジ供給機に移動してネジを取得し、ネジ締め作業位置に移動して、位置決めされた部品にネジ締めを行うものとなっている。
【先行技術文献】
【特許文献】
【０００５】
【特許文献１】特開２００４−６６３７２号公報
【発明の概要】
【発明が解決しようとする課題】
【０００６】
しかしながら、上記従来のネジ締めシステムでは、人手で部品を作業台に設置する作業や、ネジ締め完了後の部品の取出し作業にタクトタイムがかかってしまう問題がある。人手をロボットに変更しても同様のことが言える。
【０００７】
また、姿勢変更して複数のネジ締めを行うには、別のネジ締めシステムを用意したり、作業台又はネジ締め機が姿勢変更できるよう複数の駆動軸を追加したりしなければならず、コストがかかってしまう問題がある。それだけでなく、別のネジ締めシステムを用意したり、駆動軸を追加したりすることはラインを増設することになり、設置スペースの増加につながる。
【０００８】
そこで本発明は、タクトタイムの短縮が可能で、しかもコストアップ及び設置スペースの増加を招くことなく、姿勢変更を伴う複数のネジ締めに対応できるネジ締めシステムを提供することを目的とする。
【課題を解決するための手段】
【０００９】
上記目的を達成するために、本発明は、少なくとも１台のネジ供給機と、該ネジ供給機とネジ締め作業位置との間を移動し、前記ネジ供給機から取得したネジを、前記ネジ締め作業位置において、ネジ締めの対象である部品にネジ締めするネジ締め装置とを有するネジ締めシステムにおいて、
前記部品を保持可能なロボットが配置されており、該ロボットは、保持した部品の前記ネジ締め作業位置への搬入と、姿勢の変更と、前記ネジ締め作業位置からの搬出とが可能で、しかも前記部品を前記ロボットで保持したまま前記ネジ締め装置によるネジ締めが可能であることを特徴とするネジ締めシステムを提供するものである。
【発明の効果】
【００１０】
本発明においては、ロボットにより、部品のネジ締め作業位置への搬入と搬出が可能で、しかも作業台を介さずに、ロボットで部品を保持したままネジ締めが可能となっている。従って、一旦ロボットで保持した部品を離して作業台上に設置する動作と、作業台上の部品をロボットで保持し直す動作を行うことなく、搬入、ネジ締め、搬出の一連動作が可能で、タクトタイムを短縮することができる。また、ロボットは、保持した部品の姿勢変更が可能であるので、姿勢変更を伴う複数のネジ締めに対応できると共に、作業台が不要であるので、コスト及び設置スペースを削減することができる。
【図面の簡単な説明】
【００１１】
【図１】本発明のネジ締めシステムの全体構成図である。
【図２】本発明で用いるロボットの一例を示す構成図である。
【図３】ネジ供給機及びネジ締め装置周りの構成図である。
【図４】ネジ締め装置及びロボットの部品保持機構部周りを示す図で、（ａ）は部品を横向きに保持した状態でのネジ締めを示す説明図、（ｂ）は部品を縦向きに保持した状態でのネジ締めを示す説明図である。
【図５】部品の一例を示す説明図で、（ａ）は平面図、（ｂ）は側面図である。
【発明を実施するための形態】
【００１２】
以下、図面を用いて本発明の実施形態を説明する。なお、以下に参照する図面において、同じ符号は同様の構成要素を示す。
【００１３】
図１乃至図５を用いて本発明のネジ締めシステム１０を説明する。
【００１４】
本発明のネジ締めシステムは、図１に示すように、部品を保持可能な部品保持機構部２を備えたロボット１、ネジ供給機３ａ〜３ｃ、ネジ締め装置４、ネジ締め補助機構部５を備えている。ロボット１が、その保持機構部２で保持した部品と、他の工程でこの部品に組み付けられていて、ネジ締めして固定する他の部品とをネジ締め作業位置へと搬入する。次に、ネジ締め装置４が、いずれかのネジ供給機３ａ〜３ｃからネジを取得し、ネジ締め作業位置でネジ締め補助機構部５を用いながらネジ締めを行い、部品に前記他の部品をネジ締め固定する。
【００１５】
本実施形態におけるロボット１は、６軸多関節ロボットで、図１及び図２に示すように、先端に取り付けた部品保持機構部２の姿勢を自由に変更できるようになっている。部品把持機構部２は、図２に示すように、１本の回転軸を有する回転軸ユニット２１、三ツ爪チャックユニット２２、部品の位相を規制する間座ユニット２３、部品を把持する爪２４を備えている。三ツ爪チャックユニット２２の座面に取り付けられた間座ユニット２３は、不図示のピン又は溝を備えており、ピン又は溝で部品の位相を規制する役割を担っている。また、三ツ爪チャックユニット２２の先端に取り付けられた爪２４は、複数の種類の部品の外側又は内側を把持し、各部品の位置出しを行う役割を担っている。ロボット１は、部品把持機構部２で位置及び位相を出した部品を、各ネジ締め箇所のネジ締め姿勢をとりながらネジ締め作業位置に搬入し、部品を保持した状態のまま後述するネジ締め補助機構部５による支持を受けるものとなっている。
【００１６】
図１及び図３に示すように、本実施形態では、３台のネジ供給機３ａ〜３ｃが設けられており、部品に対応した３種類のネジを供給できるようになっているが、ネジ供給機３ａ〜３ｃは少なくとも１台設けられて居れば足る。また、４台以上の複数台配置することもできる。ネジ供給機３ａ〜３ｃは、ネジ締め装置４へネジを提供するもので、ネジ締め装置４は、後述するように、平面方向に移動し、その先端（図面上は下端）のネジ取得部４４でいずれかのネジ供給機３ａ〜３ｃからネジを取得するものとなっている。３種類のネジの頭部は、ネジ締め装置４のネジ取得部４４を交換することなく３種類のネジに対応できるように、同一の径及び形状をしている。また、ネジ締め装置４は、平面上の一方向（Ｘ方向）へ移動可能となっている。具体的には、Ｘ方向への移動を案内するＸ駆動軸４１に沿って移動可能に設けられている。３台のネジ供給機３ａ〜３ｃは、Ｘ駆動軸４１と平行に整列配置されており、ネジ締め装置４がネジ取得部４４でネジを取得する位置である、各ネジ供給機３ａ〜３ｃのネジ取得位置３ａ１〜３ｃ１が、Ｘ方向に一直線上に並んでいる。そして、更にこの各ネジ取得位置３ａ１〜３ｃ１とネジ締め作業位置とがＸ方向に一直線上に並んでいる。各ネジ取得位置３ａ１〜３ｃ１とネジ締め作業位置とをＸ方向に一列に配置しておくと、ネジ締め装置４をＸ方向に直交するＹ方向へ移動させずにネジの取得とネジ締めを行うことができる。このため、ネジ締め装置４をＹ方向へ移動させるための駆動軸を必要とせず、Ｙ方向のスペース削減とコストの削減を行うことができる。
【００１７】
ネジ締め装置４は、図１及び図４に示すように、上下方向（Ｚ方向）への移動を案内するＺ駆動軸４２に取り付けられており、このＺ駆動軸４２と共にＸ駆動軸４１に沿ってＸ方向へ移動可能となっている。本実施形態のネジ締め装置４は、Ｚ駆動軸４２に沿って下降して部品へのネジ締めを行うものとなっている。Ｚ駆動軸４２に沿ったネジ締め装置４の下降に際しては、ネジ締め時の押し付け力の管理が可能で、ネジ締め装置４をＺ方向へ移動させるモータの電流値を監視し、ネジ締めが完了するまで押し付け力が保たれるようになっている。ネジ取得部４４は、例えば吸引装置に接続されたパイプ状部材で構成され、ネジの頭部を吸着して取得できるようにしたものを用いることができる。ネジ締め時にネジを回すドライバは、上記パイプ状部材の中を昇降可能に設けられており、ネジ締め時に下降して、ネジ取得部４４に吸着されているネジの頭部と係合して当該ネジを回転させるものとなっている。ドライバによるネジの締め付けトルクは、ドライバの駆動モータの電流値で管理されており、一定トルクに達した時にドラバの駆動モータが停止されて、ネジ締めが完了する。
【００１８】
ネジ締め補助機構部５は、図１及び図３に示すように、補助Ｚ駆動軸５１とロボット補助部５２をそれぞれ１つずつ備えている。ネジ締め補助機構部５は、部品のネジ締め時に、ロボット１の剛性不足で部品の位置ずれを起こす可能性のある場合に、補助Ｚ駆動軸５１で部品、ロボット補助部５２で部品把持機構部２（部品の保持部）を押さえて支持する機構を有している。また、ネジ締め補助機構５はネジ締め装置４のＺ駆動軸４２に沿った下降による押し付け力に耐えうる剛性を持っている。
【００１９】
以下にネジ締めの詳細を述べる。
【００２０】
ロボット１は、部品把持機構部２の間座ユニット２３で部品の位相を規制し、爪２４で部品内側を把持した後、把持した部品を別の工程に搬送し別部品との組み付けを行う。その間、ネジ供給機３ａ〜３ｃがネジをネジ取得部４４で取得する取得位置３ａ１〜３ｃ１に供給する。供給完了後、ネジ締め装置４は、Ｘ駆動軸４１に沿って移動し、必要なネジが取得できるいずれかのネジ取得位置３ａ１〜３ｃ１の上方へ移動し、Ｚ駆動軸４２に沿って下降して、ネジ取得部４４でネジを取得する。そして、ネジを取得したネジ締め装置４は、Ｘ駆動軸４１とＺ駆動軸４２でネジ締め作業位置へと移動する。そして、部品をロボット１で保持したままネジ締め装置４によるネジ締めが行われる。
【００２１】
ここで、部品の異なる姿勢でのネジ締め作業を図４で説明する。
【００２２】
図４（ａ）に示す、部品６０が横向きの姿勢時では、ネジ締め補助機構部５の補助Ｚ駆動軸５１が上昇し、部品の下面を押えた後、Ｚ駆動軸４２に沿ってネジ締め装置４が下降し、管状のネジ取得部４４内を昇降するドライバでネジ締めを開始する。ネジ締め装置４による必要な一定押し付け力を保ち続け、ドライバの回転が一定締め付けトルクに到達した後、ドライバによるネジ締めを完了し、ネジ締め装置４が上昇し、ネジ締め補助機構部５の補助Ｚ駆動軸５１が下降する。
【００２３】
図４（ｂ）は、部品が縦向き時の姿勢を示している。この姿勢においては、ネジ締め補助機構部５のロボット補助部５２が、ロボット１の部品の保持部である部品把持機構部２の回転軸ユニット２１の下面を押さえて支持する。次に、Ｚ駆動軸４２に沿ってネジ締め装置４が下降し、ドライバがネジ締めを開始する。ネジ締め装置４は必要な一定の押し付け力を保ち続け、一定締め付けトルクに到達した後、ドライバがネジ締めを完了し、ネジ締め装置４が上昇する。
【００２４】
部品６０は、図５（ａ）に示すように、同じ平面上の一直線上に並んだ複数のネジ穴６１を有している。このようなネジ穴６１へのネジ締めは、ネジ穴６１の並びがＸ駆動軸４１と平行になるように部品６０を保持し、ネジ締め装置４をＸ駆動軸４１に沿って移動させることで容易に行うことができる。また、図５（ｂ）に示すように、円筒部の側面の周方向に複数並んだネジ穴６１へのネジ締めは、円筒部の中心軸をＸ駆動軸４１との直交方向に向け、かつネジ穴６１の並び方向をＸ駆動軸４１と平行となるように部品６０を保持すると容易に行うことができる。即ち、ネジ締め装置４を移動させることなく、部品６０を回転させることで、各ネジ穴６１をネジ締め装置４のネジ取得部４４の直下へ位置させることができ、各ネジ穴６１へのネジ締めを順次行うことができる。
【００２５】
ネジ締め完了後は、ロボット１によって部品をネジ締め作業位置から搬出し、別部品の組付け工程へと移動する。
【００２６】
以上説明したように、本発明のネジ締めシステムは、ロボット１で部品を保持し、ネジ締め作業位置へ搬入・搬出できると共に、保持したまま様々な姿勢でネジ締め作業を行うことができる。一旦ロボットで保持した部品を離して作業台上に設置する動作と、作業台上の部品をロボットで保持し直す動作を行うことなく、搬入、ネジ締め、搬出の一連動作が可能で、タクトタイムを短縮することができる。また、部品の姿勢が変化しても各々の作業台を設けることなくネジ締め作業を行うことができるので、コスト及び設置スペースを削減することができる。
【符号の説明】
【００２７】
１：ロボット、２：部品保持機構部、３ａ〜３ｃ：ネジ供給機、３ａ１、３ｂ１、３ｃ１：ネジ取得部、４：ネジ締め装置、５：ネジ締め補助機構部、１０：ネジ締めシステム、２１：回転軸ユニット、２２三ツ爪チャックユニット：、２３間座ユニット：、２４：爪、５１：補助Ｚ駆動軸、５２：ロボット補助部、４１：Ｘ駆動軸、４２：Ｚ駆動軸、６０：部品、６１：ネジ穴
【図１】
2014200860.tif 000003
【図２】
2014200860.tif 000004
【図３】
2014200860.tif 000005
【図４】
2014200860.tif 000006
【図５】
2014200860.tif 000007